(57)【要約】【課題】レコーダ／プレーヤの状態メッセージのオンスクリーン表示を容易にする。【解決手段】ディジタル再生装置２００からの圧縮されたディジタル・ビデオ信号とディジタル再生装置の動作状態を表す表示メッセージ・タグ信号を受け取るインタフェース・ポート１１０と、インタフェース・ポート１１０に結合され、圧縮されたディジタル・ビデオ信号を復号化し、ビデオ信号を形成する、復号器１１７と、インタフェース・ポート１１０に結合され、表示メッセージ・タグ信号を処理しこれに対応する記憶された表示メッセージ信号にアクセスする制御装置１１５と、記憶された表示メッセージ信号とビデオ信号を合成し、合成されたビデオ信号を発生し、表示のために合成されたビデオ信号をフォーマット化するＯＳＤ挿入器すなわち加算ブロック５２０と、を備える。【選択図】図２
2008017510.tif 000002
【特許請求の範囲】
【請求項１】
圧縮されたディジタル・ビデオ信号を受け取り、復号化する受信装置であって、
ディジタル再生装置からの前記圧縮されたディジタル・ビデオ信号と前記ディジタル再生装置の動作状態を表す表示メッセージ・タグ信号を受け取る、受け取り手段と、
前記受け取り手段に結合され、前記圧縮されたディジタル・ビデオ信号を復号化し、ビデオ信号を形成する、復号化手段と、
前記受け取り手段に結合され、前記表示メッセージ・タグ信号を処理し、前記表示メッセージ・タグ信号に対応する記憶された表示メッセージ信号にアクセスする、制御手段と、
前記記憶された表示メッセージ信号と前記ビデオ信号を合成し、合成されたビデオ信号を発生し、表示のために前記合成されたビデオ信号をフォーマット化する、合成手段と、
を備える前記受信装置。
【請求項２】
前記記憶された表示メッセージ信号が、前記ビデオ信号に関連付けられた時間の数字表示を含む、請求項１に記載の受信装置。
【請求項３】
前記圧縮されたディジタル・ビデオ信号がイントラ符号化フレームと非イントラ符号化フレームを有する、請求項１記載の受信装置。
【請求項４】
前記動作状態が再生状態である、請求項１記載の受信装置。
【請求項５】
前記制御手段が、複数の表示メッセージ信号を記憶する記憶装置を含む、請求項１記載の受信装置。
【請求項６】
前記記憶された表示メッセージ信号が、再生された前記イントラ符号化フレームに関連付けられた時間の数字表示に関する、請求項５記載の受信装置。
【発明の詳細な説明】
【技術分野】
【０００１】
本発明は、ディジタル・ビデオの記録の分野に関し、特に、各種の機器コンポーネント間の結合の技術に関する。
【背景技術】
【０００２】
ディジタルのビデオ信号は、低減したビット・レート（ｂｉｔ・ｒａｔｅ）を有するビット・ストリームを形成するために処理される場合がある。ビット・レートを低減するための処理は、ＭＰＥＧ圧縮方法に従って実行され、例えばＤＳＳ（商標）あるいはグランド・アライアンス案すなわちＧＡ地上システムなどディジタルの衛星システムで用いられるような、例えば、ＭＰＥＧと両立性のある構造でフォーマット化される。
【０００３】
消費者用のビデオ・レコーダは、アナログ信号と、ＭＰＥＧ標準およびＧＡまたはＤＳＳ（商標）信号フォーマットを有するものと両立性のために処理されたディジタル的に符号化された信号の両方について記録機能を与えるために適応化される。適合化された消費者用ビデオ・レコーダは、記録機構、サーボ・システムおよび制御システムを共用する、１つのボックス内にある２つの電子的システムとして考えることができる。従来のアナログ記録方法は、アナログのルミナンス信号成分の周波数で第１のＲＦ搬送波を変調し、アナログのクロミナンス信号成分の振幅で第２のＲに搬送波を変調する場合に用いられる。再生時に、２つの変調された信号は復調され、ビデオ表示のために合成され出力される。
【０００４】
記録動作モードと再生動作モードの間、オンスクリーン・メッセージにより、ビデオ・レコーダの動作状態、警告条件、テープの持続時間（ｄｕｒａｔｉｏｎ）、記録時間、時間コードなどが示される。これらのオンスクリーン表示メッセージすなわちＯＳＤ（Ｏｎ−Ｓｃｒｅｅｎ  Ｄｉｓｐｌａｙ）がアナログのビデオ出力信号に加えられ、ユーザにレコーダの状態情報を与える。
【０００５】
ディジタル記録は、ディジタルのビット・ストリームのレコーダ／レプロデューサとして消費者用ビデオ・レコーダを使用することにより達成できる。ＭＰＥＧ両立性信号、例えば、トランスポート・パケットは、記録と再生を容易にするために、トランスポート・パケットを再フォーマット化することにより記録される。例えば、トランスポート・パケットはバッファに入れられ、エラー検出／訂正データ・ワードが計算され、付加される。付加されたエラー訂正を伴うビット・ストリームは、各記録トラックに入れられる所定のバイト数を含む記録データ・ブロックまたは同期ブロックにフォーマット化される。同期ブロック信号は、コード化され、ディジタル記録により適した信号を供給する。例えば、ＤＣ成分の除去された信号を供給したり、記録された信号のスペクトル成形の行われた信号を供給したりする。このような変調は、“コード・ブック”（ｃｏｄｅ  ｂｏｏｋ）形式の符号化により発生される。再生モードにおいて、記録処理は効果的に反転され（ｒｅｖｅｒｓｅ）、例えば、“コード・ブック”符号化されたものは復号化され、エラーが検出／訂正され、同期ブロックのフォーマット化されたものは取り去られ、ビット・ストリームは元のＭＰＥＧのようなフォーマットに回復される。
【発明の開示】
【発明が解決しようとする課題】
【０００６】
ディジタルの記録と再生の追加のコストの増加を最小にするために、ＭＰＥＧの復号化／符号化の機能はレコーダに含まれていない。かくして、レコーダは変更もしくは追加することなく、ＭＰＥＧのようなパケット・ストリームを処理しなければならない。従って、レコーダはプログラム遅延（ｐｒｏｇｒａｍ  ｄｅｌａｙ）またはタイム・シフトの機能を与える。しかしながら、アナログの動作モードの間、アナログの出力信号に加えられるレコーダの状態表示、警告表示、およびテープ・タイマー表示は、ディジタルの動作モードの間は存在しない。それ故、レコーダの状態などは、レコーダのコントロールパネルを見ることにより確認できるだけである。
【０００７】
ディジタルの信号源、レコーダ、およびモニタ表示間のシステム相互接続および制御は、両方向データ・バスを使用することにより簡単化される。しかしながら、アナログ・システムの相互接続に付加される相互接続は理解できない装置の複雑さと困乱をユーザに与えることになる。レコーダの動作状態に関係なく、ディジタルの信号源と表示の間の結合を与える簡単な相互接続方法が必要とされる。簡単な相互接続方法は、同じ相互接続システムを使用することにより、アナログとディジタルのレコーダの両方の動作を容易にするものでなければならない。また、レコーダの状態および警告メッセージは、アナログとディジタルの両方のレコーダの動作モードの間、ユーザ用の表示として必要なものである。
【課題を解決するための手段】
【０００８】
レコーダの状態表示、警告表示、およびテープ・タイマー表示は復号化されたビデオ信号と合成されるとき、一時的に位置がずれて見えることがある。この一時的な位置ずれは、本発明の構成により都合よく同期化される。ディジタル記録および再生装置は、記録媒体からディジタルの符号化されたビット・ストリーム信号を再生するトランスジューサ（ｔｒａｎｓｄｕｃｅｒ）を含んでいる。再生用の電子ユニットがトランスジューサに結合され、復号化のための出力信号ビット・ストリームを発生する。受信手段は、出力信号ビット・ストリームから符号化されたビデオ信号を受け取り、このビデオ信号に表示メッセージを加える。メッセージ発生器は装置の動作モードに応答し、表示メッセージを発生する。制御手段が、このメッセージ発生器に結合され、表示メッセージの発生とビデオ信号との同期をとる。
【発明を実施するための最良の形態】
【０００９】
第１図は、簡単化された消費者用ディジタルのオーディオ／ビデオシステムを示す。パケット化され、圧縮されたオーディオ／ビデオデータと制御データが復号化と表示のために結合される。受信機、ＩＲＤ１００は受信アンテナ５０に結合されるように示されているが、変調された信号（ｍｏｄｕｌａｔｅｄ  ｓｉｇｎａｌ）はケーブル分配ネットワーク（図示せず）から供給されることもある。変調され、パケット化された信号は同調され、復調され、ユーザにより決められる番組がパケット源（ＰＡＣＫＥＴ  ＳＯＵＲＣＥ）１０９として示されるブロック内で分離される。パケット源（ＰＡＣＫＥＴ  ＳＯＵＲＣＥ）１０９の出力は、オーディオ／ビデオデータおよび制御データのトランスポート・パケット・ストリームを含んでおり、このトランスポート・パケット・ストリームはデコーダ１１７によりＭＰＥＧ復号化されてオーディオ／ビデオ信号を発生する。デコーダ１１７からの出力は表示ユニット３００によりモニタするために結合される。他のパケット化された信号源は、デコーダ１１７によりＭＰＥＧ復号化するための別のデータ・ストリームとして破線で示されるように結合される。このようにして、デコーダ１１７は外部のパケット・ソースからのトランスポート・ストリームを復号化するのに使用され、以てこれら他の源（ｓｏｕｒｃｅ）の費用を低減する。例えば、パケット・ソース７５はパケット化された出力信号を形成するコンピュータを表してもよい。このような信号は、コンピュータのメモリから得られ、あるいはコンピュータ・ネットワークのような外部のソースから発生されることもある。このようなコンピュータによるソースはディスク・メモリから圧縮されたオーディオ／ビデオデータと制御データを再生する。また、パケット・ソース７５は、例えば、ＤＶＤ形式のデバイスのようなディジタルのビデオ・ディスク・プレーヤを表してもよい。トランスポート・パケットの別のソースは、磁気テープ・プレーヤ／レコーダ、パケット・ソース２００から供給されることもある。このパケット・ソースは、例えば、Ｄ−ＶＨＳまたはＤＶＣ標準に基づいたフォーマットを採用しているものでもよい。
【００１０】
第２図は、簡単化された消費者用ディジタルのビデオ受信機、レコーダ、および表示ユニットから成るシステムを例示的ブロック図で示したものである。このシステムは、ディジタルのビデオ信号源、例えば、統合された受像機／デコーダ（Ｉｎｔｅｇｒａｔｅｄ  Ｒｅｃｅｉｖｅｒ  Ｄｅｃｏｄｅｒ）すなわちＩＲＤ１００、オーディオ／ビデオ・モニタ表示デバイス３００、および例えばＤ−ＶＨＳまたはＤＶＣフォーマットを使用するディジタルのビデオ・カセット・レコーダを使う。例示したシステムにおいて、ディジタルのビデオを表す信号によりＲＦ搬送波は変調されており、アンテナ５０により受信されるアンテナ５０は、統合された受信機／デコーダＩＲＤ１００に結合されている。しかしながら、変調された搬送波は、ケーブル分配システム（図示せず）により受像機／デコーダＩＲＤ１００に供給されてもよい。統合された受像機／デコーダＩＲＤ１００は、ＲＦ搬送波周波数に同調し、ＭＰＥＧコンパチブル（ｃｏｍｐａｔｉｂｌｅ）のトランスポート・データ・ストリームの変調を復調する。
【００１１】
トランスポート・データ・ストリームは復号化され、オーディオ／ビデオ表示デバイス３００により直ちにモニタするためにアナログのオーディオ／ビデオ信号を発生する。復号化された出力信号は信号１０１と１０４により表わされ、これらの信号は受像機／デコーダＩＲＤ１００と表示デバイス３００の間に結合される。コストを考慮すると、ディジタルのレコーダ２００はＭＰＥＧ符号化および復号化を含んでいないことが示唆される。従って、ディジタルのレコーダ２００は、タイム・シフティング（ｔｉｍｅ  ｓｈｉｆｔｉｎｇ）または番組遅延の機能を与えるために、ビット・ストリームのレコーダ／プレーヤとして動作する。非標準のスピード再生機能を容易化するために必要とされるＭＰＥＧ処理および複雑性を省くことは、シャトル（ＳＨＵＴＴＬＥ）モード、スロー・モーション（ＳＬＯＷ  ＭＯＴＩＯＮ）モード、またはトリック・プレイ（ＴＲＩＣＫ−ＰＬＡＹ）モードにおける画像の再生を排除するものである。要するに、受像機／デコーダＩＲＤ１００は、レコーダ２００により記録するために、ＭＰＥＧコンパチブルのパケット・ストリームをディジタルのオーディオ／ビデオバス１１２に結合させる。同様に、レコーダ２００からの再生されたパケット・ストリームは、ＭＰＥＧ復号化、およびオーディオ／ビデオを発生するために、受像機／デコーダＩＲＤ１００に戻されるように結合される。レコーダ２００からＭＰＥＧ処理を省くことの更なる結果は、オンスクリーン表示メッセージすなわちＯＳＤ形式の状態メッセージはリプレー用パケット化されたビット・ストリームと合成することができないし、リプレー用パケット化されたビット・ストリームに付加することもできない。こうして、レコーダ２００の動作状態はユーザに容易に理解できるものではない。
【００１２】
また、レコーダの画像データは、記録モード、プレー・モード、および停止モードの間にのみ得られるものであるから、制御コマンドに続く、レコーダの応答状態についてはユーザは良く分らない。例えば、プレー（ＰＬＡＹ）から巻戻し（ＲＥＷＩＮＤ）へ変化すると、例えば、電子ユニットから電子ユニットへすなわちＥからＥへとして知られる状態である、入力ビット・ストリームに切り換わるリプレー画像が生じる。もしくは例えば、リプレー画像は消えてしまい、ＩＲＤ１００により導入される凍結フレームで置き換えられるか、または多分、動画はカラード（ｃｏｌｏｒｅｄ）フィールドにより置換される。従って、ユーザは、レコーダのモード応答特性の指標（ｉｎｄｉｃｉａ）としてこれらの視覚上の表示結果を容易に連想しないかも知れない。
【００１３】
第２図に示すシステムは、本発明による第１の発明的相互接続の構成を示し、復調されたトランスポート・ビット・ストリームは受像機／デコーダＩＲＤ１００から両方向データ・バス１１２を介してレコーダ２００に結合される。トランスポート・パケット・ストリームはインタフェース・ポート１１０を介してデータ・バス１１２に結合され、レコーダ２００においてインタフェース・ポート２１０により受け取られる。これらのインタフェース・ポート１１０と２１０は、データ・バス１１２と一緒に含まれる別個の導体上で伝送される制御データ・ストリームにより制御される。制御信号は、制御スイッチ（図示せず）を作動させることによりユーザ入力から導入され、あるいはユーザにより発生されるＩＲリモート・コントロール・コマンドにより導入される。例えば、ユーザは、ディッシュ（ｄｉｓｈ）アンテナ５０により受信されるディジタルのオーディオ／ビデオ信号をモニタしようとする受像機ＩＲＤ１００は、触れることにより、またはリモート・コントロール、例えばＩＲにより選択することができる。受像機ＩＲＤ１００を選択すると、表示選択を自動的にモニタすることになり、すなわち、表示はＭＰＥＧ復号されたオーディオ／ビデオ出力をモニタするように自動的に切り換えられる。ユーザはディジタルの記録（ＲＥＣＯＲＤ）モードを選択することがある。この場合、ＩＲＤ１００からの受信されたトランスポート・ストリームはデータ・バス１１２を介してレコーダ２００に結合され、記録を開始する。同様に、ディジタル・レコーダのプレイ（ＰＬＡＹ）モードを選択すると、リプレーされたデータ・ストリームは、受像機／デコーダＩＲＤ１００のデコーダ１１７で復号化するようにデータ・バス１１２を介して結合される。
【００１４】
ＭＰＥＧコンパチブルであり、パケット化された信号は、レコーダ２００に結合され、ブロックＤ．ＲＥＣ２１５により記録するために処理される。バッファ・メモリがブロックＤ．ＲＥＣ２１５に含まれており、データ・ストリームをバッファ・メモリに貯え、可変の接続期間（ｄｕｒａｔｉｏｎ）ギャップを有するデータのバーストから成るパケット化された信号よりも記録するのに適した信号を形成する。バッファ・メモリに貯えられたデータ・ストリームは、バッファ・メモリから読み出され、エラー検出／訂正データ・ワードで符号化されたレコード・フォーマット同期ブロックを形成する。この同期ブロックでフォーマット化されたデータ・ストリームは、先に説明したように、記録のために変調され、記録ブロックＤ．ＲＥＣ２１５からセレクタ・スイッチＡ４を介して結合される。セレクタ・スイッチＡ４とＡ５は、選択されたＤ−ＶＣＲの動作モードに応じて制御される。例えば、第２図において、スイッチＡ４とＡ５はディジタルの記録と再生用として示されており、スイッチ・コンタクトＤＲ、すなわちディジタル記録の場合はデータ・ストリームを回転するヘッド構体２５０に結合させ、スイッチ・コンタクトＤＰ、すなわちディジタルの再生の場合、回転するヘッド構体２５０からデータ・ストリームが得られるように結合される。アナログ動作の場合、スイッチＡ４とＡ５は、ＡＲすなわちアナログ記録、ＡＰすなわちアナログ再生で示されるように、もう１つの位置に置かれる。Ｄ．ＲＥＣ２１５から得られる同期ブロックでフォーマット化されたデータ・ストリームは磁気テープに記録するために回転ヘッド構体２５０に結合される。
【００１５】
プレー・モードにおいて、記録された、同期ブロックでフォーマット化されたデータ・ストリームは、構体２５０に配置された変換（ｔｒａｎｓｄｕｃｉｎｇ）ヘッド２５１により磁気テープから再生される。復元（ｒｅｃｏｖｅｒ）された信号は、記録チャンネル変調（ｒｅｃｏｒｄｉｎｇ  ｃｈａｎｎｅｌ  ｍｏｄｕｌａｔｉｏｎ）成分を取り去るためにディジタルのリプレー・ブロックＤ．ＲＥＰ２２０により復調される。次いで、リプレー信号は、記録に先立って挿入されたデータ・ワードによりエラー検出／訂正を受ける。エラー訂正に続いて、同期ブロックのフォーマットは取り除かれ、記録のためにレコーダに結合されたパケット形式と実質的に同じパケット形式をとるようにビット・ストリームは復元される。ブロックＤ．ＲＥＰ２２０からのパケット・ストリームはインタフェース２１０に結合される。このインタフェース２１０レコーダのプレイ（ＰＬＡＹ）モードに応答して、デコーダ１１７によりＭＰＥＧ復号化を行うために、パケット・ストリームを両方向データ・バス１１２に供給する。
【００１６】
統合された受像機／デコーダＩＲＤ１００はＭＰＥＧコンパチブルのパケット・ストリームを復号化し、ビデオ信号とオーディオ信号の両方を発生する。例えば、第２図には、ビデオ／オーディオ出力信号１０１とコンポーネント・ビデオ信号１０４、例えばＳ−ビデオが示されている。しかしながら、これらのディジタル的に再生されたビデオ信号は、オンスクリーン表示すなわちＯＳＤにより通常与えられるレコーダの状態情報を含んでいない。
【００１７】
第２図に簡単化された形式で示されるＩＲＤ１００は、コントローラ（ＣＴＲＬ）１１５を含んでいる。このコントローラ１１５は、ＩＲＤ１００の全体の制御を行い、例えば、同調、パケット・ヘッダ・コントロール・デマルチプレクシング、バス・インタフェース・コントロール、およびＭＰＥＧデコーダ１１７に結合させるパケット・ソースの選択などの制御を行う。また、受像機の状態、すなわち動作モードは、復号化されたビデオ信号に付加されたオンスクリーン表示メッセージにより示される。コントローラ１１５は、オンスクリーン表示メッセージを構成したり、あるいはメモリ・ブロック５１０から所定の貯えられたメッセージを読み出す。オンスクリーン表示メッセージすなわちＯＳＤは、ＯＳＤ挿入器すなわち加算ブロック５２０に結合され、ブロック５２０において、メッセージはアナログのビデオ表示のためにフォーマット化され、ＭＰＥＧ復号化されたビデオ信号と加算もしくは合成される。ＯＳＤ信号を有するビデオ信号は出力増幅器１１８を介して出力され、モニタ用表示デバイス３００により表示される。
【００１８】
第２図において、レコーダ／プレーヤ２００は、コントロール・システム（ＣＴＲＬ）２０５に結合されるオンスクリーン発生器ＯＳＤ  ＧＥＮ．２７０を含んでいる。レコーダ／プレーヤ２００のコントロール・システム２０５からの信号に応答して、ＯＳＤ発生器２７０は、動作状態に適した状態メッセージまたは警告メッセージを発生する。これらのメッセージは、ブロックＯＳＤ  ＡＤＤ２７５においてアナログのビデオ信号に挿入したりあるいは含ませるためのビデオ信号としてフォーマット化される。アナログのビデオ信号は、ビデオ・セレクタ・ブロックＳＥＬ２８０からオンスクリーン表示アダー２７５に結合される。
【００１９】
セレクタ２８０は制御システム２０５により制御され、種々のアナログ信号源間の選択機能を与える。例えば、スイッチＡ１は、チューナにより得られる信号、ベースバンドのアナログ信号入力、およびＭＰＥＧ復号化されたオーディオ／ビデオ出力信号１０２のうちのアナログ入力信号選択を与える。スイッチＡ１からの出力はブロックＡ．ＲＥＣ（アナログ記録）によるアナログ記録のために結合される。
【００２０】
セレクタ２８０のセレクタ・スイッチＡ３は、オンスクリーン表示アダー２７５に結合される信号の選択を行い都合がよい。第２図において、スイッチＡ３は、出力信号１０２のビデオ・コンポーネントをオンスクリーン表示アダー２７５の入力に結合させる本発明の結合態様を示している。このようにして、例えば、再生の間に発生されるレコーダ／プレーヤ２００の状態メッセージは、出力トランスポート・パケット・ストリームから復号化されたビデオ信号コンポーネント１０２に付加される。従って、ディジタル的に導入されるＭＰＥＧ復号化されたリプレー信号に、オン・クリーン・メッセージが付加された信号１０３が表示デバイス３００で見られる。
【００２１】
レコーダ／プレーヤ２００のアナログ動作の間、スイッチＡ３は、信号ＶＨＳとして示されるアナログのリプレー信号をオンスクリーン表示アダー２７５に結合させる。このようにして、アナログ動作の間、ＯＳＤメッセージはアナログの再生ビデオ信号に付加される。ディジタルの記録が選択されるとき、ＯＳＤのメッセージは再生されたビット・ストリームから復号化されたアナログのビデオ信号１０２に付加されて都合がよい。従って、この都合のよいフィードバック結線により、レコーダの状態メッセージはビデオ・コンポーネントと合成され、アナログ信号１０３として出力される。
【００２２】
セレクタ（ＳＥＬ）２８０のスイッチＡ２は、オンスクリーン表示アダー２７５をバイパスする結線を与え、出力信号１０２はモニタ用表示デバイス３００に直接結合される。従って、スイッチＡ２のバイパス作用により、復号化された出力信号を見ることができ、アダー２７５に起因する信号劣化の可能性が取り除かれる。レコーダが待機（ＳＴＡＮＤ  ＢＹ）モードでオフのとき、あるいは復号化された、非記録（ｎｏｎ−ｒｅｃｏｒｄｅｄ）の“ライブ（ｌｉｖｅ：生の）”ビット・ストリームを見るとき、バイパス路Ａ２が自動的に選択される。アナログ記録の間、復号化された非記録信号を見ることができるようにするために、バイパススイッチＡ２は手動で作動化されることもある。この有利なバイパス結線により、例えば、ディジタル的に得られる信号１０２を本来的に劣下させるＥ／Ｅレコーダ路を介して、不必要なアナログのレコーダ信号処理が省かれる。また、利点のあるバイパス機能は、例えば機械的コンタクト（ｃｏｎｔａｃｔ）に容易に実現される。その結果、スイッチＡ２により、ＩＲＤ１００は、レコーダ２００の動作状態に関係なくモニタ用表示デバイス３００に接続される。
【００２３】
オンスクリーン表示発生器２７０は、ビデオ信号に挿入されたとき、メッセージが表示スクリーンの所定の位置に表示されるように、特定の水平および垂直の同期タイミングでフォーマット化されたメッセージを発生する。しかしながら、ディジタルのリプレー・モードで動作し、先に説明した有利なフィードバック結線を使用する、ＯＳＤメッセージは、アナログのレコーダ動作の間に使用された同期タイミングとは異なる水平および垂直の同期タイミングで都合よく発生される。有利なことに、この異なる水平および垂直の同期タイミングは、例えばＩＲＤ１００で生じる再生信号の伝播およびＭＰＥＧ復号化遅延を補償する。従って、異なるＯＳＤ用同期タイミングを使用することにより、アナログのレコーダ動作においても、あるいはディジタルのレコーダ動作の何れにおいてもほぼ同じ所定のメッセージ位置を実現することができるので都合がよい。
【００２４】
処理およびＭＰＥＧ復号化の間、時間遅延は複数個フレームの期間に達することがある。複数フレームの遅延、すなわち時間的オフセットは再生された実際の視覚上の事象に先行するＯＳＤメッセージを生じることになる。レコーダのＯＳＤメッセージが再生された事象に先行する、この時間的オフセットは、ユーザによる制御コマンドおよび対応する再生画像の効果の遅延した出現の結果として現われる。記録されたタイム・コード信号またはレコーダのテープ・タイマーを表示するとき、時間的オフセットは、より重大な問題を表す。例えば、テープを再生する間、特定の事象が、レコーダのテープ・タイマーのオンスクリーン表示または記録されたタイム・コード信号のＯＳＤから気付くことがある。この気付いた時刻は選択された事象の順次の位置（ｌｏｃａｔｉｏｎ）のために使われる。しかしながら、この気付いた時刻が編集ポイントとして使用されると、その結果得られる編集シーン（ｓｃｅｎｅ）は、予見（ｐｒｅｖｉｅｗｉｎｇ）の間に選択されたシーンに先行する。メッセージと再生画像の間の時間的オフセットの作用は、メッセージと復号化された視覚画像を同期化させることにより都合よく除去される。編集ポイントの選択は、ピクチャー（フレーム）の群すなわちＧＯＰ（Ｇｒｏｕｐ  ｏｆ  Ｐｉｃｔｕｒｅ）から成るＭＰＥＧ信号構造により更に複雑にされる。ピクチャー（フレーム）の各群は１つのイントラ符号化フレームすなわちＩフレームだけを含んでいるから、異なるピクチャー間を編集する実際の点は、イントラ符号化されたフレームすなわちＩフレームに制限されるロケーション（ｌｏｃａｔｉｏｎ）に制限される。従って、多くの再生されたフレームが起り得る編集点として除外される。それ故、編集点の選択を容易にするために、テープのタイマーすなわちタイム・コード表示は、復号化された視覚画像と同期がとられ、イントラ符号化フレームに対応するタイム・コード・フレームまたはテープ・タイムだけを表示する。ＯＳＤの時間的オフセットは、メッセージの発生、メッセージの通信、ＯＳＤのプリゼンテーション（ｐｒｅｓｅｎｔａｔｉｏｎ）を遅延させたり、あるいはテープのタイマー／タイム・コード数すなわちカウントを変更することにより、復号化された視覚的な画像と同期をとることができる。レコーダ２００において、ＤＬＹ．２０７で示される遅延は、スイッチＡ７またはＡ８により選択される。例えば、復号化されたビデオ信号１０２が、ブロック２７５においてレコーダのＯＳＤメッセージ挿入のために帰還されるとき、ＯＳＤのメッセージ・コマンドはコントロール２０５に応答して発生される。コントローラ２０５からのメッセージ・コマンド信号（ＣＭＤ）は、スイッチＡ７と遅延要素（ＤＬＹ）２０７に結合されるように示されている。スイッチＡ７は、レコーダ２００に対して選択された記録モード、すなわちアナログ形式かディジタル形式かに応じて制御される。スイッチＡ７はディジタル・モードで示されており、遅延要素２０７からの信号ＣＭＤを遅延させた信号を選択する。この遅延されたコマンド信号は、復号化されたビデオ信号にほぼ一致するＯＳＤメッセージの発生と挿入を生じさせる。代りの構成はスイッチＡ８を使用するも��である。スイッチＡ８は、ＯＳＤ発生器２７０からの出力に遅延２０７を挿入する。この構成の場合、スイッチＡ７はコントローラ２０５の出力に接続される。また、スイッチＡ８は、信号ＣＭＤをバス１１２およびＩＲＤ１００に結合させるのを遅延させるために使用することもできる。ＯＳＤメッセージと復号化された再生画像との間の時間的オフセットは、例えば遅延要素（ＤＬＹ）１１６で示されるような遅延要素をメモリ・アクセス信号またはメモリ出力信号の何れかに導入することにより、ＩＲＤ１００において補正することもできる。再生画像とＯＳＤの同期は種々の方法により実現することができ、例えば、クロック制御されたデータ・ラッチ、シフトレジスタ、単安定マルチバイブレータなどを使用した遅延要素に再生画像とＯＳＤの同期をとることができる。テープ・タイマーまたはタイム・コードＯＳＤは、例えば、表示数字を算術的に操作することにより編集モードのプレビュー（ｐｒｅｖｉｅｗ）の間、復号化された画像と同期がとられる。このようにして、選択された画像および関連する表示数字は、電子的編集が実行されることが可能となるように入力される。レコーダ２００のアナログ動作の間、コントローラ２０５からのコマンド信号（ＣＭＤ）は遅延されず、スイッチＡ７がＯＳＤ発生器２７０に直接結合する。
【００２５】
もう１つの本発明による実施例において、レコーダ２００から生じるオンスクリーン・メッセージは、ＩＲＤ１００のオンスクリーン表示機能を都合よく利用する。レコーダにより導入されるメッセージは、第２図のブロック（ＯＳＤ）５２０においてオンスクリーン表示の挿入を行うために、データ・バス１１２の制御導体を介してＩＲＤ１００に結合される。レコーダのメッセージ・データは、ＯＳＤ発生器２７０によるテキスト・メッセージとしてフォーマット化され、それにはタグ（ｔａｇ）またはラベル（ｌａｂｅｌ）が付加される。信号２７１として示されるタグの付いたテキスト・メッセージは、他の制御バス・データから分離するために、ＩＲＤ１００のコントローラ１１５に結合される。分離に続いて、テキスト・メッセージは、ＯＳＤ５２０による表示フォーマット化とビデオ挿入を行うように結合される。このテキスト・メッセージは、コントローラ２０５からのＯＳＤコマンド信号ＣＭＤに応答して発生される。先に説明したように、ブロック（ＯＳＤ発生器）２７０からのテキスト・メッセージは、遅延要素２０７のスイッチＡ７の挿入による代りのポイント（ｐｏｉｎｔ：点）において遅延される。
【００２６】
本発明の別の実施例において、ＩＲＤ１００は、受像機用のオンスクリーン表示メッセージおよびレコーダ２００に特有のＯＳＤメッセージを含むメモリ５１０を具えている。レコーダ２００に特有のＯＳＤメッセージは、制御バスを介してコントローラ１１５に結合されるレコーダ用オンスクリーン表示コマンド信号（ＣＭＤ）に応答してアクセスされる。レコーダ２００において、オンスクリーン表示コマンド信号（ＣＭＤ）は、コントローラ２０５により発生される。また、このコントローラ２０５は発生しようとするメッセージを決める。こうして、コマンド信号（ＣＭＤ）は、有利にＩＲＤ１００に結合され、メモリ５１０に貯えられたレコーダに特有のグラフィカル（ｇｒａｐｈｉｃａｌ）メッセージへのアクセスとその表示フォーマット化が行えるようにする。
【００２７】
本発明の更に別の構成において、ＩＲＤ１００は、レコーダのコマンドに応答して、レコーダ用のテキスト・メッセージまたは受像機用のグラフィカル・メッセージを適応的に選択する。レコーダ用のテキスト・メッセージとＩＲＤ１００用のグラフィカル・メッセージを選択することにより、異なる特徴と機能を有する異なる年代のレコーダと受像機の相互接続を行うことができる。例えば、より古い受像機が最近製造されたレコーダに接続され、従って、受像機内のメモリには、レコーダ用のオンスクリーン・メッセージ表示を行うための予めプログラムされたグラフィカル・メッセージが含まれていなくてもよい。このようにして、受像機はレコーダにより発生される簡単なテキスト・メッセージを表示することができる。反対に、より最新の受像機は種々の年代に製造された多様の製品のためのグラフィカル・メッセージを選択することができるように予めプログラムされているものもあり、これらの種々のグラフィカル・メッセージは、レコーダのテキスト・メッセージの代りに表示される。簡単なテキスト・メッセージまたはグラフィカル・メッセージの選択は、テキスト・メッセージに付加されたタグまたはラベルにより容易に行われる。例えば、タグまたはラベルはコマンド信号（ＣＭＤ）を含んでおり、このコマンド信号（ＣＭＤ）により必要とされるレコーダに特有なメッセージが選択され、その利用が可能となる。また、ラベルはレコーダのプロフィール情報を与えるのに十分なデータ容易を有し、このプロフィール情報は、例えば、レコーダの製造日、型式（モデル）、バージョン（ｖｅｒｓｉｏｎ）または変更レベル、およびシリアル（ｓｅｒｉａｌ）番号などに関するものである。タグまたはラベルの付いたテキスト・メッセージがコントローラ１１５により受け取られるとき、タグまたはラベルは、ＩＲＤ１００のメモリ５１０からのレコーダに特有のグラフィカル・メッセージの選択であるものと解釈される。しかしながら、もしＩＲＤ１００のメモリ５１０が特定のレコーダ用メッセージもしくはレコーダのプロフィールに特有のメッセージで予めプログラムされていなければ、タグは付加された簡単なテキスト・メッセージのフォーマット化と表示が行えるようにする。先に説明したように、ＯＳＤメッセージ、テキストまたはグラフィカル・メッセージと再生され復号化された画像との間の時間的および空間的な差を補償するために、遅延要素を挿入してもよい。
【００２８】
第２図は、３つのアナログ信号入力を有するモニタ用表示デバイス３００を示す。３つのアナログ信号入力としては、オーディオ／ビデオ信号１０１と１０３、およびオーディオとコンポーネント・ビデオ信号１０４、例えばＳ−ビデオまたはルミナンスをカラー・コンポーネントＹ，Ｐｒ，Ｐｂがある。また、表示デバイス３００は、ＲＦ  ＩＮで示されるように、ＲＦ信号によりオーディオ／ビデオ信号を受信する場合もある。信号セレクタ３１０は、ビデオおよび同期処理回路（図示せず）に知られている態様で結合され、これらが組み合わさって画像表示が行われる。信号セレクタ３１０は、表示デバイス３００に配置されたユーザにより作動されるスイッチにより制御されたり、あるいは変調されたＩＲ制御ストリームにより送信されるユーザにより開始されるリモート・コントロール・コマンドにより制御されたりする。図示した３つのベースバンド信号はセレクタ・スイッチ３１０の自動化された制御により都合よく選択することができる。例えば、ディジタルの記録モードまたは再生モードを選択すると、レコーダ用のＯＳＤ状態表示情報を含んでいる信号が自動的に選択される。レコーダ用のＯＳＤは先に説明したように発生され表示される。また、複数のベースバンドの信号入力を設けることにより、特定のデバイスの相互接続を行うことができる。例えば、ＩＲＤ１００からの復号化され、非記録の信号を直接見ることは、例えば、出力信号１０１を使用したり、あるいはオーディオ／ビデオ（Ａ／Ｖ：Ａｕｄｉｏ／Ｖｉｄｅｏ）信号１０３を形成するためにレコーダ用のＯＳＤを挿入するために送られるＩＲＤ１００の出力信号１０２と共にコンポーネント（ｃｏｍｐｏｎｅｎｔ）・ビデオ信号１０３を使用することにより容易に行われる。
【００２９】
第３図は、例えば、表示デバイス３０１として示されるような、コストの低減された表示デバイスの使用例を示す。表示のためのコストを低減させるために、信号入力の数は、例えば、ＲＦ入力、コンポーネント・ビデオすなわちＳ−ビデオ入力、および１つのオーディオ／ビデオ信号入力に制限されることがある。第２図のセレクタ２８０の便利な選択およびバイパス機能により、表示デバイス３０１は、単一のオーディオ／ビデオ入力により、記録された素材（ｍａｔｅｒｉａｌ：マテリアル）、および記録されていない素材をモニタすることができる。しかしながら表示デバイス３０１は、信号結合（ｃｏｕｐｌｉｎｇ：カプリング）に加えて表示入力の選択を決めて、制御するためにコンポーネント・ビデオ信号結線を都合よく使用することができる。例えば、コンポーネント・ビデオ信号すなわちＳ−ビデオ信号がＮＴＳＣ符号化された信号から得られる画像品質に比べてより高品質の表示画像品質を与えるものであるから、コンポーネント信号入力に結合されるその種のコンポーネント信号が存在することは、コンポーネント信号源の選択を自動的に生じさせる。かくして、コンポーネント信号と複合信号の両方が表示デバイス３０１の入力１および入力２にそれぞれ結合されるとき、入力用コントローラ３１２は、好ましい入力としてコンポーネント信号を選択することを決める論理をとる。しかしながら、この自動化された入力選択を行うと、第２図のレコーダ２００から結合されるレコーダに特有のオンスクリーン表示情報を含んでいる信号のモニタが行われないようにすることになる。しかしながら、自動化された、好ましい入力の選択は、都合よく利用され、例えば、入力２における信号１０３のようなオーディオ／ビデオ信号をリモート・コントロールにより選択することができるようになる。レコーダ２００を介して結合されるオンスクリーン表示情報を含んでいる信号は、ＩＲＤ１００からの出力結合信号１０４を許容したりあるいは終了させたりすることにより、コンポーネント信号１０４を本発明に従って制御することにより表示デバイス３０１で見られる。例えば、記録されていないビット・ストリーム、すなわち受信信号をユーザが選択すると、ＩＲＤ１００のコントローラ１１５は、例えば、Ｓ−ビデオ形式を有するコンポーネント信号１０４の発生または出力が行えるようにする。表示のために、記録された画像信号が選択されると、コントローラ１１５は、コンポーネント信号１０４の発生または出力を終了させる。このようにして、モニタ用表示デバイス３０１のコントローラ３１２は、信号１０４の無いことを信号３０９を介して検出するために、コンポーネント信号入力端子に結合され、入力セレクタ３１１は、入力１のコンポーネント入力信号１０４から、例えば、第２図のレコーダ２００のセレクタ２８０を介して結合される入力２のオーディオ／ビデオ信号１０３に切り換える。
【図面の簡単な説明】
【００３０】
【図１】復号化および表示のために結合される、パケット化された信号源をブロック図で示す。
【図２】本発明による種々の実施例を含んでいる例示的ブロック図を示す。
【図３】本発明による種々の実施例を含んでいる簡単化されたスイッチを示す例示的ブロック図である。
【図１】
2008017510.tif 000003
【図２】
2008017510.tif 000004
【図３】
2008017510.tif 000005